(57)【要約】【課題】下方の送風機構から空気を送り、上方のスリットから空気を吹き出す送風装置において、風量の多い送風装置を提供することを目的とする。【解決手段】空間を有して並列に配置した２本のダクト３に、それぞれ前方に高圧空気を吹出すスリット４状のノズル１５を一列に備え、ダクト前面１３側でダクト３の内側面１９と誘引整流板６によって形成される第一開口８とダクト背面１４側でダクト３の外側面１８と誘引整流板６と背面板７によって形成され下方から上方へ向けて開口面積が増大する第二開口９によって、送風装置の高さ方向で流量バランスが崩れることなく、流量を多くできる。【選択図】図１
2017172357.tif 000002
【特許請求の範囲】
【請求項１】
高圧空気を発生する高圧空気発生部を備えた箱状の台座と、前記台座の天面から上方に向けて立設した２本のダクトとを備えた送風装置であって、前記台座の天面には、前記２本のダクトよりも後ろの位置に背面板を立設し、前記ダクトは、前記台座から立設したダクト前面と上方へ向けて前記前面側へ傾斜したダクト背面とを有し、内部に上方へ向けて風路断面積を小さくした風路を形成するとともに、それぞれ他方のダクトと対向する内側面と他方のダクトと対向しない外側面を有し、前記内側面を対向させて配置し、前記送風装置の前面である前記ダクト前面には、前記ダクト前面の立設方向で一列にかつ所定の間隔を開けて配置した複数のスリットを備えたノズルを有し、前記２本のダクトのうち一方のダクトのスリットと他方のダクトのスリットは、前記２本のダクトの立設方向で交互に配置され、前記対向させた内側面の間には、前記スリットに隣接した第一開口をそれぞれ備え、前記送風装置の両側部における前記ダクト背面と背面板の空間に下方から上方に向けて開口面積が増大する第二開口が前記第一開口に連通するように形成された送風装置。
【請求項２】
前記内側面と前記ダクト背面には、前記ダクト前面を立設した方向において、前記スリットの上部と下部に相当する位置にそれぞれ前記ダクト前面から前記ダクト背面まで水平の誘引整流板を有し、前記誘引整流板は前記背面板まで延設し、ダクト前面側には前記内側面と前記誘引整流板によってそれぞれのスリットに隣接した第一開口が形成され、送風装置の両側部において前記外側面と誘引整流板と背面板によって下方から上方に向けて開口面積が増大する第二開口がそれぞれ形成され、前記第二開口のうち最下部に形成された第二の開口の合計面積は、少なくとも前記第一開口のうち最下部に形成された第一の開口の面積に比べて小さく、最上部に形成された第二開口の合計面積は、少なくとも最上部の第一開口の面積に比べて大きい請求項１記載の送風装置。
【発明の詳細な説明】
【技術分野】
【０００１】
本発明は、たとえば、誘引流を利用して送風により清涼感を与えたり空間内の空気循環を促したりする送風装置に関するものである。
【背景技術】
【０００２】
従来、この種の送風装置は、送風機構を台座１２となる基部に内包して、基部上部に備えられた送風部の複数のスリットから床面と水平方向に吹出すようにして空気の流れを生じさせる家庭用送風機が知られている(たとえば、特許文献１参照)。
【０００３】
以下、その送風機について図５および図６を参照しながら説明する。図５は、送風機組立体１００を前方から見た斜視図、図６は、送風機組立体１００の外装カバーを外した側面図を示している。
【０００４】
図５において、送風機組立体１００は、上部に送風部１０１と下部に基部１０２とを備えていた。送風部１０１は吹出口１０３と吸込口１０４とを備え、基部１０２は送風機構１０５を収納していた。
【０００５】
吹出口１０３は、送風機組立体１００の前面に上下方向に一列に並べられていた。
【０００６】
図６に示すように、送風機組立体１００の送風部１０１内部に設けた送風通路１０６は、５枚の仕切り板１０７により６本の通風路１０８に区分され、出口部１０９において吹出口１０３のそれぞれに空気を送り出すようになっていた。
【０００７】
すなわち、内部で独立した風路構成となっており、下方の送風機構１０５に近い側に流速が偏らず、均一な風を供給するものであった。
【先行技術文献】
【特許文献】
【０００８】
【特許文献１】特開２０１４−２３８２３０号公報
【発明の概要】
【発明が解決しようとする課題】
【０００９】
このような従来の送風装置では、風量が少ないという課題を有していた。
そこで本発明は、上記従来の課題を解決するものであり、風量の多い送風装置を提供することを目的とする。
【課題を解決するための手段】
【００１０】
そして、この目的を達成するために、本発明は、高圧空気を発生する高圧空気発生部を備えた台座と、前記台座の天面から上方に向けて立設した２本のダクトとを備えた送風装置であって、前記台座の天面には、前記２本のダクトよりも後ろの位置に背面板を立設し、前記ダクトは、前記台座から立設したダクト前面と上方へ向けて前記前面側へ傾斜したダクト背面とを有し、内部に上方へ向けて風路断面積を小さくした風路を形成するとともに、それぞれ他方のダクトと対向する内側面と他方のダクトと対向しない外側面を有し、前記内側面を対向させて配置し、前記送風装置の前面である前記ダクト前面には、前記ダクト前面の立設方向で一列にかつ所定の間隔を開けて配置した複数のスリットを備えたノズルを有し、前記２本のダクトのうち一方のダクトのスリットと他方のダクトのスリットは、前記２本のダクトの立設方向で交互に配置され、前記対向させた内側面の間には、前記スリットに隣接した第一開口をそれぞれ備え、前記送風装置の両側部における前記ダクト背面と背面板の空間に下方から上方に向けて開口面積が増大する第二開口が前記第一開口にそれぞれ連通するように形成された送風装置であり、これにより所期の目的を達成するものである。
【発明の効果】
【００１１】
本発明によれば、内部に上方へ向けて風路断面積を小さくした風路を形成する形状としたので、高圧空気発生部からスリットへ向かう空気の流速が上方のほうが遅くなってしまうことを緩和するとともに、スリットから吹出す気流に第一開口で誘引される気流を第二の開口の面積が下方から上方に向けて増大することで、下方の第一開口へ連通する風路を上方の第一開口へ連通する風路に比べて抵抗を大きくすることができ、送風装置の高さ方向で流量バランスが崩れることなく、流量を多くできる。
【図面の簡単な説明】
【００１２】
【図１】本発明の実施の形態１の送風装置の斜視図
【図２】同実施の形態１の送風装置の平面図
【図３】同実施の形態１の送風装置の側面図
【図４】同実施の形態１の送風装置の破線部分拡大図
【図５】従来の送風装置を示す図
【図６】同内部の構成を示す断面図
【発明を実施するための形態】
【００１３】
本発明の請求項１に係わる送風装置は、本発明は、高圧空気を発生する高圧空気発生部を備えた台座と、前記台座の天面から上方に向けて立設した２本のダクトとを備えた送風装置であって、前記台座の天面には、前記２本のダクトよりも後ろの位置に背面板を立設し、前記ダクトは、前記台座から立設したダクト前面と上方へ向けて前記前面側へ傾斜したダクト背面とを有し、内部に上方へ向けて風路断面積を小さくした風路を形成するとともに、それぞれ他方のダクトと対向する内側面と他方のダクトと対向しない外側面を有し、前記内側面を対向させて配置し、前記送風装置の前面である前記ダクト前面には、前記ダクト前面の立設方向で一列にかつ所定の間隔を開けて配置した複数のスリットを備えたノズルを有し、前記２本のダクトのうち一方のダクトのスリットと他方のダクトのスリットは、前記２本のダクトの立設方向で交互に配置され、前記対向させた内側面の間には、前記スリットに隣接した第一開口をそれぞれ備え、前記送風装置の両側部における前記ダクト背面と背面板の空間に下方から上方に向けて開口面積が増大する第二開口が前記第一開口にそれぞれ連通するように形成されたものである。
【００１４】
これにより、内部に上方へ向けて風路断面積を小さくした風路を形成する形状としたので、高圧空気発生部からスリットへ向かう空気の流速が下方のスリットに比べて上方のスリットにおいて遅くなってしまうことを緩和するとともに、第二開口の面積が下方から上方に向けて増大することで、下方の第一開口へ連通する風路の抵抗を上方の第一開口へ連通する風路の抵抗に比べて大きくすることができ、スリットから吹出す気流に第一開口で誘引される気流に制限を加えて、送風装置の高さ方向で流量バランスが崩れることなく、流量を多くできる。
【００１５】
また、請求項２に係わる送風装置は、前記内側面と前記ダクト背面には、前記ダクト前面を立設した方向において、前記スリットの上部と下部に相当する位置にそれぞれ前記ダクト前面から前記ダクト背面まで水平の誘引整流板を有し、前記誘引整流板は前記背面板まで延設し、ダクト前面側には前記内側面と前記誘引整流板によってそれぞれのスリットに隣接した第一開口が形成され、送風装置の両側部において前記外側面と誘引整流板と背面板によって下方から上方に向けて開口面積が増大する第二開口がそれぞれ形成され、前記第二開口のうち最下部に形成された第二の開口の合計面積は、少なくとも前記第一開口のうち最下部に形成された第一の開口の面積に比べて小さく、最上部に形成された第二開口の合計面積は、少なくとも最上部の第一開口の面積に比べて大きいものである。
【００１６】
これにより、内部に上方へ向けて風路断面積を小さくした風路を形成する形状としたので、高圧空気発生部からスリットへ向かう空気の流速が下方のスリットに比べて上方のスリットにおいて遅くなってしまうことを緩和するとともに、第二開口のうち最下位に形成された第二開口の面積は少なくとも前記第一開口のうち最下位に形成された第一開口の面積に比べて小さく、最上位に形成された第二開口の面積は少なくとも最上位の第一開口の面積に比べて大きくなるようにしたことで、第一開口、第二開口によって誘引される空気の量は上方の方が多くなるようにできるので、送風装置の高さ方向で流量バランスが崩れることなく、流量を多くできる。
【００１７】
以下本発明の実施の形態について、図面を参照しながら説明する。
（実施の形態１)
図１に示すように、送風装置１は、高圧空気発生部２を備えた箱状の台座１２と２本のダクト３と背面板７から構成されている。
【００１８】
台座１２の側面に吸込口５が矩形状に形成されている。台座１２の内部には、吸込口５に連通する高圧空気発生部２を備えている。高圧空気発生部２は、羽根車１１と、電動機１０と、羽根車１１と電動機１０を内包するケーシング３１とを備えている。羽根車１１は、電動機１０の回転軸に接続されている。
【００１９】
２本のダクト３はそれぞれ一端部を箱状の台座１２へ接続している。すなわち、図１に示すように、２本のダクト３は、台座１２の天面から上方へ向けて延設している。
【００２０】
背面板７は、台座１２の天面において、２本のダクト３よりも後ろの位置に立設している。
【００２１】
また、２本のダクト３は、ダクト間に距離を有して並列かつ対称に配置されている。さらに、２本のダクト３は、図２に示すように前方（図２における下側）に内向き角度を有し配置されている。
【００２２】
また、図３に示すように、２本のダクト３は、ダクト前面１３と、上方へ向けてダクト前面１３側に傾斜したダクト背面１４と、二つの側面を有している。ダクト背面１４の傾斜に合わせて、ダクト内部には上方へ向けて風路断面積を小さくした風路２０が形成されている。
【００２３】
前記二つの側面は、２本のダクト３を並列に配置したときに、図１のように他方のダクトと対向する内側面１９と他方のダクトと対向しない外側面１８とに識別される。すなわち、２本のダクト３を並列に配置した状態で互いに対向する側面が内側面１９となる。言い換えると、２本のダクト３は、内側面１９を対向させて配置している。
【００２４】
さて、図４に示すように、ダクト前面１３には、ダクト前面１３の立設方向において一列にかつ所定の間隔を空けて配置した複数のスリット４を備えたノズル１５を有し、２本のダクト３のうち一方のダクトのスリット１６と他方のダクトのスリット１７は、前記２本のダクトの延設方向で交互に配置されている。ここで、所定の間隔とは、他方のダクトのスリット１７の長さ分に相当する間隔である。すなわち、ダクト前面１３から見ると、ダクトスリット１６とダクトスリット１７とは、千鳥足状に配設されている。
【００２５】
スリット４は矩形であり、長手方向は、ダクト３の立設方向に一致させており、送風装置１の天面に対して垂直にしている。前述のように、上記２本のダクト３を内向き角度を有して配置しているのでスリット４も内向き角度を有している。
【００２６】
また、ダクト背面１４には、図４に示すように、ダクト前面１３を立設した方向においてスリット４の上部と下部に相当する位置に、ダクト前面１３からダクト背面１４までの範囲に水平に配設した誘引整流板６を有している。さらに、誘引整流板６は、同図４に示すように、背面板７まで延設している。
【００２７】
また、ダクト前面１３側には、ダクトの内側面１９と誘引整流板６によって、二つのダクト３の間にそれぞれのスリット４に隣接した第一開口８が形成されている。なお、第一開口８は、すべて同一の開口面積としている。
【００２８】
また、送風装置１の側面部であって、ダクト背面１４側には、外側面１８の端部と誘引整流板６と背面板７によって囲まれた第二開口９が形成されている。ダクト背面１４は、上述のように立設方向に向って前方に傾斜しているので、第二開口９はダクトの下方から上方に向けて開口面積が増大している。すなわち、第二開口９は、ダクト背面１４と背面板７との隙間空間であって、送風装置１の両側部（両側の側面部）においてダクト３の背面側に位置している。スリット４から吹出す空気によって誘引される空気は、第二開口９を誘引入口とし、第一開口８を誘引出口として送風装置１のダクト３間を通過するものである。
【００２９】
さらに、図３に示すように、第二開口９のうち最下部に形成された第二開口９の開口面積は、少なくとも第一開口８のうち最下部に形成された第一開口８の開口面積に比べて小さく、最上部に形成された第二開口９の開口面積は、少なくとも最上部の第一開口８の開口面積に比べて大きくなっている。
【００３０】
以上のように、対向させた内側面１９の間には、スリット４に隣接した第一開口８をそれぞれ備え、送風装置１の両側部において、外側面１８と背面板７までの空間に下方から上方に向けて開口面積が増大する第二開口９が第一開口８に連通するようにそれぞれ形成したものでもある。
【００３１】
上記構成において、送風装置１を動作させると、高圧空気発生部２１により発生する高圧空気がスリット４から吹き出されると同時に、スリット４から吹出された空気に誘引されて、第二開口９から送風装置周辺の空気が流入し、第一開口８から吹出される。第二開口９から流入される空気は、第一開口８から吹出される空気の流速と第二開口９の開口面積の大きさによって流入量が決まり、第二開口９の開口面積の違いによって、誘引する空気の量を調節している。
【００３２】
すなわち、ダクト下方に形成される第二開口９の開口面積は小さく、下方では第二開口９から誘引される空気が少ない。これに対し、ダクト上方に形成される第二開口９の開口面積は大きく、ダクト上方では第二開口９から誘引される空気が多くなる。さらに、誘引整流板６によって上方の誘引空気が下方に流れることを防いでいるため、ダクト下方ではスリット４から吹出される空気の流速は速くても誘引する空気の量は少なくなり、ダクト上方ではスリット４から吹出される空気の流速は遅くても誘引する空気の量は多くなり、ダクトの上下方向で流量のバランスがとれることになる。
【００３３】
つまり、内部に上方へ向けて風路断面積を小さくした風路を形成する形状としたことにより、高圧空気発生部２からスリット４へ向かう空気の流速が下方のスリット４に比べて上方のスリット４において遅くなってしまうことを緩和することがでる。加えて、対向させた内側面１９の間には、スリット４に隣接した第一開口８をそれぞれ備え、送風装置１の両側部において、外側面１８と背面板７までの空間にダクト下方からダクト上方に向けて開口面積が増大する第二開口９が第一開口８に連通するようにそれぞれ形成したことにより、第二開口９からダクト下方の第一開口へ連通する風路の抵抗を第二開口９から上方の第一開口へ連通する風路の抵抗に比べて大きくすることができ、送風装置１の高さ方向で流量バランスが崩れることなく、流量を多くできる。
【００３４】
また、背面板７を有することで、背面側からの誘引を抑制し送風装置１の両側部の空気を誘引するため、送風装置１の背面を部屋の壁に接して配置することができるため、送風装置１は、設置場所を選ばず上下で流量のバランスがとれた送風を行うことができる。
【００３５】
本実施の形態では、２本のダクト３のスリット１６とスリット１７は、延設方向で交互に配置されている。２本のダクト３のスリット１６とスリット１７は、延設方向で交互に配置しない場合には、スリット１６とスリット１７に比較的近い位置で、スリット１６とスリット１７からそれぞれ吹出す空気が互いに干渉して、気流が２本ダクト３の中央に引き寄せられてしまい、線状の気流になってしまうという問題が発生する。しかし、本実施の形態のように２本のダクト３のスリット１６とスリット１７は、延設方向で交互に配置することで、気流が送風装置１の近傍で中央に引き寄せられることなく、より遠くの位置まで幅広い気流（面状の気流）を送風することが可能となる。
【００３６】
なお、２本のダクト３は、前方に内向き角度を有し配置されているものとしているが、平行に配置しても良い。
【産業上の利用可能性】
【００３７】
本発明にかかる送風装置は、高さ方向で流量バランスが崩れることなく、風量を多くできる送風装置として有用である。
【符号の説明】
【００３８】
１    送風装置
２    高圧空気発生部
３    ダクト
４    スリット
５    吸込口
６    誘引整流板
７    背面板
８    第一開口
９    第二開口
１０    電動機
１１    羽根車
１２    台座
１３    ダクト前面
１４    ダクト背面
１５    ノズル
１６    一方のダクトのスリット
１７    他方のダクトのスリット
１８    外側面
１９    内側面
２０    風路
３１    ケーシング
１００    送風機組立体
１０１    送風部
１０２    基部
１０３    吹出口
１０４    吸込口
１０５    送風機構
１０６    送風通路
１０７    仕切り板
１０８    通風路
１０９    出口部
【図１】
2017172357.tif 000003
【図２】
2017172357.tif 000004
【図３】
2017172357.tif 000005
【図４】
2017172357.tif 000006
【図５】
2017172357.tif 000007
【図６】
2017172357.tif 000008